(57)【要約】【課題】  相手側部材の表面に付着している色々の塵埃（放射性部材も含む）を除去すると共に相手側部材の表面に塗膜のような表面膜を形成（塗着）する保持具であって、使用時における相手側部材に与える押圧力が常時一定である部材一定押圧保持具を提供する。【解決手段】  相手側部材に当る部材はパイプ１内に収納されている細長ロッド４の先端側に取り付けられ、細長ロッド４には前後から同一の圧力を与える同一のバネ２，３が設けられている。また、パイプ１には細長ロッド４が貫通している中間固定具１ａが固定されている。この構造により、パイプ１を移動させても部材７（例えばローラ７ａ）にはバネ２，３の取り付け時における圧力が常に押圧されるだけであり押圧力の変化はなく一定である。【選択図】図１
0003204761.tif 000002
【実用新案登録請求の範囲】
【請求項１】
先端に着脱可能に設けられた部材に一定の押圧力を付加すべく手動で往復動される部材保持具であって、該部材保持具は、部材を着脱可能に保持する先端固定具と、該先端固定具に前端側を固定し後方に向かって伸延する細長ロッドと、該細長ロッドの中間部に固定されるバネ受け具と、前記細長ロッドを内部に収納し前後端に閉止具を嵌着する細長なパイプとを有し、前記パイプには前記細長ロッドが貫通する孔を有する中間固定具が固定され、前記パイプの無作動時において前記パイプの前方側の閉止具と前記バネ受け具との間と前記バネ受け具と前記中間固定具との間には予圧された同一のバネ常数で同一長さのバネが介設されることを特徴とする部材一定押圧保持具。
【請求項２】
前記部材が前記先端固定具に着脱可能に取り付けられたローラからなることを特徴とする請求項１に記載の部材一定押圧保持具。
【請求項３】
前記ローラが塵埃除去機能や相手側部材の表面に表面膜を形成する機能を有するものからなることを特徴とする請求項２に記載の部材一定押圧保持具。
【請求項４】
前記の一対の同一のバネ常数のバネの内部にはその内側に更に同一バネ常数の一対の小バネが配設されることを特徴とする誚求項１に記載の部材一定押圧保持具。
【請求項５】
前記細長ロッドの更に伸延する後端側には中間固定具と後端閉止具との間に第２のバネ受け具が固定され、この第２のバネ受け具と中間固定具との間と第２のバネ受け具と後端閉止具との間には同一バネ常数で同一長さの第２のバネが夫々介設されることを特徴とする請求項１に記載の部材一定押圧保持具。
【考案の詳細な説明】
【技術分野】
【０００１】  本考案は、例えばローラのような部材を一定押圧力で相手側部材を押圧してその表面の塵埃を除去したり前記相手側部材の表面に塗膜のような表面膜を塗着する機能を有し、各種の長さに対応出来る部材一定押圧保持具に関する。
【背景技術】
【０００２】  相手側部材に色々の麈埃が付着している場合にこの塵埃を除去したり、又は相手側部材の表面に塗膜の如き表面膜を塗着する手段としてローラが使用されるがこのローラを常に同一圧力で相手側部材に押圧するローラ保持具は本考案の出願人の調査では見当らない。一方、ローラ保持具に関する公知技術としては「特許文献１」の如きものがあるが、このものと本考案とでは機能的に相違するものであるが参考例として表示する。
【先行技術文献】
【特許文献】
【０００３】
【特許文献１】特開平１０−１２０６号（図１）
【考案の概要】
【考案が解決しようとする課題】
【０００４】  「特許文献１」の「特開平１０−１２０６号」の「コンベアのテンションローラ保持具」はコンベアベルトにテンションを付与するものであるがコンベアの塵埃を除去するものではなく、押圧力は一定ではあるが本考案のようにパイプを手動で移動させるものではなく、パイプの移動において常にローラに一定の押圧力を与える機能を有するものではない。
本考案は、例えばローラのような部材を相手側部材に常時一定圧力で押圧しながら転がして相手側部材の塵埃（放射性物質も含む）を除去したり、相手側部材の表面に塗膜のような表面膜を形成するように構成される部材一定押圧保持具を提供する事を目的とする。
更に２つ目の目的としてはパイプの長さに短長のものの要請がありこれ等に対応出来る部材一定押圧保持具を提供することを目的とする。
【課題を解決するための手段】
【０００５】  本考案は以上の前者の目的を達成するために、請求項１の考案は、先端に着脱可能に設けられた部材に一定の押圧力を付加すべく手動で往復動される部材保持具であって、該部材保持具は、部材を着脱可能に保持する先端固定具と、該先端固定具に前端側を固定し後方に向かって伸延する細長ロッドと、該細長ロッドの中間部に固定されるバネ受け具と、前記細長ロッドを内部に収納し前後端に閉止具を嵌着する細長なパイプとを有し、前記パイプには前記細長ロッドが貫通する孔を有する中間固定具が固定され、前記パイプの無作動時において前記パイプの前方側の閉止具と前記バネ受け具との間と前記バネ受け具と前記中間固定具との間には予圧された同一のバネ常数で同一長さのバネが介設されることを特徴とする。【０００６】  また、請求項２の考案は、前記部材が前記先端固定具に着脱可能に取り付けられたローラからなることを特徴とする。【０００７】  また、請求項３の考案は、前記ローラが塵埃除去機能や相手側部材の表面に表面膜を形成する機能を有するものからなることを特徴とする。【０００８】  また、第２の目的を達成するために請求項４の考案は、前記の一対の同一のバネ常数のバネの内部にはその内側に更に同一バネ常数の一対の小バネが配設されることを特徴とする。【０００９】  また、第２の目的を達成するために請求項５の考案は、前記細長ロッドの更に伸延する後端側には中間固定具と後端閉止具との間に第２のバネ受け具が固定され、この第２のバネ受け具と中間固定具との間と第２のバネ受け具と後端閉止具との間には同一バネ常数で同一長さの第２のバネが夫々介設されることを特徴とする。
【考案の効果】
【００１０】  本考案の請求項１の部材一定押圧保持具によれば、ローラのような部材を保持している先端固定具にこれに固定されている細長ロッドを被包しているパイプの移動量に拘らず常に一定の押圧力を与えるように構成され、塵埃の除去や表面膜の形成が安定的に、かつ円滑に行うことが出来る。【００１１】  また、本考案の請求項２の部材一定押圧保持具によれば、部材としてローラが適用され、相手側部材への接触や押圧が円滑に行われる。【００１２】  また、本考案の請求項３の部材一定押圧保持具によれば、部材としてローラを使用することにより塵埃除去機能や表面膜の形成機能がより確実に、安定的に行われる。【００１３】  また、本考案の請求項４の部材一定押圧保持具１００Ａによれば、一対の小バネを配設することによりパイプ移動時における全体のバネの伸縮度を少なくすることが出来全体としての短縮化が図れる。【００１４】  また、本考案の請求項５の部材一定押圧保持具１００Ｂによれば、請求項４の小バネの他に第２のバネを配設することにより、更に一層の短縮化を図ることが出来る。
【図面の簡単な説明】
【００１５】
【図１】本考案の部材一定押圧保持具の主要構成要素を示す断面図。
【図２】図１の状態にある部材一定押圧保持具の使用時の中間の状態を示す断面図。
【図３】図１に示す状態にあったパイプが先端固定具に当接した状態を示す断面図。
【図４】小バネを配設した部材一定押圧保持具を示す断面図。
【図５】小バネと第２のバネを配設した部材一定押圧保持具を示す断面図。
【図６】先端固定具に取り付けられるローラの取り付け状態やローラの除去作用を説明するための模式的説明図（ａ），（ｂ），（ｃ），（ｄ）。
【考案を実施するための形態】
【００１６】  以下、本考案の部材一定押圧保持具の実施の形態を図面を参照して詳述する。
【実施例１】
【００１７】  本考案の部材一定押圧保持具（以下、押圧保持具と略称する）１００は部材７を着脱可能に取り付ける事の出来る先端固定具６と、この先端固定具６に先端を固定して後方に向かって伸延する細長ロッド４と、この細長ロッド４のほぼ中間部に固定されるバネ受け具５と、前後に閉止具（前側閉止具１ｂと後側閉止具１ｃ）とを固定し前記細長ロッド４を内部に収納するパイプ１と、パイプ１の後部側に固定される中間固定具１ａと、前側閉止具１ｂとバネ受け具５との間に介設されるバネ２とバネ受け具５と中間固定具１ａ間に介設されバネ２と同一のバネ常数を有するバネ３等とからなり、パイプ１が手動で移動しない状態ではバネ２とバネ３とは同長のものからなり一定の予圧が付加された形で取り付けられている。このため、バネ受け具５には力が作用されていない。また、中間固定具１ａは細長ロッド４が貫通する孔１ｄが設けられている。部材７は各種のものが考慮されるが本考案の実施例としては後に説明するローラ７ａが一例として設けられている。このローラ７ａは、例えば部品表面上に堆積している塵埃（放射性物質も含む）を除去する機能や部品表面上に塗膜のような表面膜を形成（塗着も含む）するものからなる。勿論、これに限定するものではない。【００１８】  以上の構造の押圧保持具１００による作用を次に説明する。使用時においては図２に示すようにパイプ１を手動で前方に移動して行う。図２は使用時の中間の状態を示すものであり、図３はパイプ１の先端の前側閉止具１ｂが先端固定具６に当接した状態を示しているが当接前の状態で使用する事も勿論出来る。この場合、先端固定具６が不動の状態にあるとすれば細長ロッド４も不動であり、これに固定しているバネ受け具５も不動の状態にある。一方、パイプ１は移動するため、これに固定されている中間固定具１ａはパイプ１の移動量だけ移動する。同時にパイプ１の先端にある前側閉止具１ｂと中間固定具１ａと同量だけ移動する。この結果、バネ２はパイプ１の移動量だけ伸び、逆にバネ３はパイプ１の移動量だけ縮む。バネ２とバネ３は同一のものからなるため移動量の分だけ同一の力が増減することになりバネ受け具５や細長ロッド４や先端固定具６には当初バネ２やバネ３の取り付け時の押圧力のみが作用する。この押圧力はパイプ１の移動量に無関係に一定のものからなり、結果としてパイプ１が移動しても部材７には常に一定の力が作用することになる。この作用が本考案の特徴であり、仮りに部材７としてローラを作用した場合、パイプ１の移動量に無関係にローラには常に当接のバネ２やバネ３の初期設定圧力が作用する事になる。即ち、ローラには常に一定の圧力が作用する事になる。また、図１の部材一定押圧保持具１００の場合は全体の長さを長くしないと図３に示した状態となり易い。
【実施例２】
【００１９】  図４に示すように前側閉止具１ｂとバネ受け具５との間にはバネ２の内側に収まる小バネ１７が設けられバネ受け具５と中間固定具１ａとの間にはバネ３の内側に収まる小バネ１８が設けられている。この小バネ１７と小バネ１８との同一バネ常数で同一長さのものからなる。
この小バネ１７，１８を配設することにより中間固定具１ａの移動量、即ち、パイプの移動量が図１等に示したものより少なくその分だけ部材一定押圧保持具の全体の短縮化を図ることが出来る。
【実施例３】
【００２０】  図５に示すようにこの実施例では図４に示したものに、更に第２のバネ１９，２０を細長ロッド４の後端に設けたものである。この実施例では図１乃至図４に示す細長ロッド４の後端を後側閉止具１ｃ側に向かって、更に伸延しその伸延端には第２のバネ受け具２１が固定される。この第２のバネ受け具２１と中間固定具１ａとの間及び第２のバネ受け具２１と後側閉止具１ｃとの間には同一バネ常数で同一長さの第２のバネ１９，２０が配設される。この配設により更にパイプ１の移動量が制限され、全体としての部材一定押圧保持具の短縮を図ることが出来る。
【実施例４】
【００２１】  次に、部材７としてローラ７ａを用いた場合の先端固定具６に対するローラ７ａの取り付け及び取り外し状態を図６（ａ），（ｂ），（ｃ），（ｄ）により説明する。【００２２】  図６（ａ）に示すようにローラ７ａはシャフト８により保持される。このシャフト８はその一端（図示では上端）は折り曲げ具９に固定され折り曲げ具９は先端固定具６に固定されている。一方、ローラ７ａはシャフト８の他端（図示では下端）は後に説明する折り曲げ具１０にねじ１１により取り外し可能に固定されている。【００２３】  図６（ｂ）は図６（ａ）のＡ矢視の図面であり、主として折り曲げ具１０の構造を示すものである。この折り曲げ具１０は基端側を円錐型バネ１２を介してねじ１３により先端固定具６に取り付けられているものであり、ねじ１３の近傍には一方側（図３（ｂ）では下方側）に開口しているＵ溝１４が形成され、Ｕ溝１４にはロッド１５がその底側に当接して配置されている。よって、折り曲げ具１０を回動することによりロッド１５はＵ溝１４から外れることになる。
折り曲げ具１０の図の先端側には前記したねじ１１が設けられると共に折り曲げ具１０を移動させるためのハンドル１６が設けられている。
以上の構造によりローラ７ａは先端固定具６に回転可能に安定支持されている。よって、この状態によりローラ７ａは前記した塵埃除去や表面膜の形成が可能となるが、ローラ７ａの内容については本考案とは直接関係がないためその説明を省略する。但し、ローラ７ａは使用後に交換し、場合により洗浄する必要があるため取り外しが必要となる。【００２４】  図６（ｃ）及び図６（ｄ）はローラ７ａの取り外し作用を説明するものである。
まず、ねじ１１を弛めてシャフト８の折り曲げ具１０との連結を解除する。次に、折り曲げ具１０に設けられているハンドル１６を把持して折り曲げ具１０を手前に引き出すと共にねじ１３の部分を基点として上方に回動する。これにより、図６（ｄ）に示すように折り曲げ具１０のＵ溝１４からロッド１５が外れ、図示のようにローラ７ａが自由状態となる。従って、シャフト８からローラ７ａを手前に引き出すことが出来、ローラ７ａは自由となる。これにより、ローラ７ａの交換が簡単に行われる。逆にローラ７ａの取り付けは前記の動作を逆に行うことによって簡単に行う事が出来る。【００２５】  以上の実施例では部材７をローラ７ａとしたが部材７はローラ７ａに限定するものではなくその取り付け取り外し構造も前記のものに限定するものではない。【００２６】  本考案の内容は以上の説明のものであるが、その内容は前記のものに限定するものではなく、同一技術的範疇のものが適用されることは勿論である。
【産業上の利用可能性】
【００２７】  相手側部材としては各種のものがあり、これに付着している塵埃も各種のものがあり、かつ相手側部材は単に塵埃の除去だけでなく各種の表面膜を形成する用途も多種類のものがある。本考案では、以上の用途に対して適用可能であり、しかも作業圧力が常に一定であり、均一で、かつ優れた効果を発揮することが出来る、更に全体の長さの長短化を図ることが出来その用途は極めて広い。
【符号の説明】
【００２８】１        パイプ
１ａ      中間固定具
１ｂ      前側閉止具
１ｃ      後側閉止具
１ｄ      孔
２        バネ
３        バネ
４        細長ロッド
５        バネ受け具
６        先端固定具
７        部材
７ａ      ローラ
８        シャフト
９        折り曲げ具
１０      折り曲げ具
１１      ねじ
１２      円錐型バネ
１３      ねじ
１４      Ｕ溝
１５      ロッド
１６      ハンドル
１７      小バネ
１８      小バネ
１９      第２のバネ
２０      第２のバネ
２１      第２のバネ受け具
１００    部材一定押圧保持具
１００Ａ  部材一定押圧保持具
１００Ｂ  部材一定押圧保持具
【図１】
0003204761.tif 000003
【図２】
0003204761.tif 000004
【図３】
0003204761.tif 000005
【図４】
0003204761.tif 000006
【図５】
0003204761.tif 000007
【図６】
0003204761.tif 000008